(57)【要約】カラム（３１）から溶出した溶離液が流れるフローセル（９０）に光を照射して分光分析を行う分光分析部（４０）を備えた液体クロマトグラフに、前記分光分析部に設けられ、フローセルに取り付けられた記憶装置（９１）を読み取ることにより該フローセルの種類又は個体に固有の情報であるセル情報を取得するセル情報読取部（４９）と、分光分析部に波長チェックを実行させる波長チェック制御部（５１）と、波長チェックの結果が該波長チェックの実行時に取得されたセル情報と関連づけて記憶される波長チェック情報記憶部（５３）と、前記波長チェック情報記憶部を参照することにより、波長チェックの結果と該波長チェックの実行時に取得されたセル情報とを記載したシステムチェックレポートを作成するシステムチェックレポート作成部（７４）とを設ける。これにより分析結果の信頼性を十分に確保することが可能となる。
2020183763.tif 000002
【特許請求の範囲】
【請求項１】
カラムから溶出した溶離液が流れるフローセルに光を照射して分光分析を行う分光分析部と、
前記分光分析部に設けられ、前記フローセルに取り付けられた記憶装置を読み取ることにより該フローセルの種類又は個体に固有の情報であるセル情報を取得するセル情報読取部と、
前記分光分析部に波長チェックを実行させる波長チェック制御部と、
前記波長チェックの結果が、該波長チェックの実行時に取得された前記セル情報と関連づけて記憶される波長チェック情報記憶部と、
前記波長チェック情報記憶部を参照することにより、前記波長チェックの結果と該波長チェックの実行時に取得された前記セル情報とを記載したシステムチェックレポートを作成するシステムチェックレポート作成部と、
を有する液体クロマトグラフ。
【請求項２】
移動相を送給する送液部と、
送られて来た前記移動相中に試料液を注入する試料注入部と、
前記試料液中の成分を分離するカラムを温調するカラムオーブンと、
前記送液部、前記試料注入部、前記カラムオーブン、及び前記分光分析部を統括的に制御する統括制御部と、
を更に有し、
前記送液部、前記試料注入部、前記カラムオーブン、前記分光分析部、及び前記統括制御部が、互いに独立した筐体を備えており、
前記波長チェック情報記憶部が前記分光分析部に設けられ、
前記システムチェックレポート作成部が前記統括制御部に設けられている請求項１に記載の液体クロマトグラフ。
【請求項３】
前記統括制御部が、ユーザからの前記システムチェックレポートの作成指示を受け付ける指示受付部を更に有し、
前記システムチェックレポート作成部が、更に、前記指示受付部が前記システムチェックレポートの作成指示を受け付けた時点で前記セル情報読取部によって読み取られた前記セル情報を前記システムチェックレポートに記載する請求項１に記載の液体クロマトグラフ。
【請求項４】
前記統括制御部が、ユーザからの前記システムチェックレポートの作成指示を受け付ける指示受付部を更に有し、
前記システムチェックレポート作成部が、更に、前記指示受付部が前記システムチェックレポートの作成指示を受け付けた時点で前記セル情報読取部によって読み取られた前記セル情報を前記システムチェックレポートに記載する請求項２に記載の液体クロマトグラフ。
【発明の詳細な説明】
【技術分野】
【０００１】
本発明は、液体クロマトグラフに関する。
【背景技術】
【０００２】
液体クロマトグラフでは、カラムから溶出した試料成分を検出するための検出器として分光光度計が広く用いられている。このような検出器は、例えば、フローセル、分光素子、及びフォトダイオードアレイ等を備えており、フローセルには、カラムからの溶離液が順次導入されると共に、光源からの光が照射される。フローセル内の溶離液と相互作用した後の光（透過光、蛍光、散乱光など）は、分光素子で波長分離された後に、フォトダイオードアレイに入射して検出され、波長毎の光量が測定される。【０００３】
ところで、液体クロマトグラフ等の分析装置では、当該分析装置による分析結果の信頼性を確保するために、その分析装置が正常に機能しているか否か、あるいは基本的性能が基準を満たしているか否か等を定期的（例えば１週間に１回等）に検査（バリデーション）してその結果を記録することが求められている（例えば特許文献１などを参照）。【０００４】
例えば、上述のような分光光度計を備えた液体クロマトグラフでは、バリデーションにおける検査項目の１つとして当該分光光度計の波長チェック（すなわち波長正確さのバリデーション）が行われる。波長チェックでは、既知の波長に輝線を有する光源（例えば重水素ランプ又はハロゲンランプ）からの光がフローセルに照射され、その際のフォトダイオードアレイにおける検出結果に基づいて、横軸に波長を縦軸に受光強度を取ったスペクトルが作成される。そして、該スペクトル上における輝線のピーク位置と該輝線の真の波長値（理論値）とを比較することによって、設定波長と真の波長の誤差が算出される。この誤差が、当該液体クロマトグラフの検出器における波長の精度となる。
【先行技術文献】
【特許文献】
【０００５】
【特許文献１】特開2014-29282号公報
【発明の概要】
【発明が解決しようとする課題】
【０００６】
しかしながら、上記のような液体クロマトグラフの検出器で使用されるフローセルには、標準セル、ミクロセル、セミミクロセル、高耐圧セル、高速セル、及び分取セルなど、様々な種類が存在し、使用するフローセルの種類によって波長チェックの結果が変化する。【０００７】
このため、１つの液体クロマトグラフにおいて、１種類のフローセル（例えば標準セル）のみが使用される場合には問題がないが、複数種類のセルが適宜使い分けられるような場合には、上記の定期的な波長チェックにいずれのセルを用いたのか分からなくなり、当該液体クロマトグラフによる分析結果の信頼性を確保できなくなるおそれがあった。【０００８】
本発明は上記の点に鑑みてなされたものであり、その目的とするところは、分析結果の信頼性を十分に確保可能な液体クロマトグラフを提供することにある。
【課題を解決するための手段】
【０００９】
上記課題を解決するために成された本発明に係る液体クロマトグラフは、
カラムから溶出した溶離液が流れるフローセルに光を照射して分光分析を行う分光分析部と、
前記分光分析部に設けられ、前記フローセルに取り付けられた記憶装置を読み取ることにより該フローセルの種類又は個体に固有の情報であるセル情報を取得するセル情報読取部と、
前記分光分析部に波長チェックを実行させる波長チェック制御部と、
前記波長チェックの結果が、該波長チェックの実行時に取得された前記セル情報と関連づけて記憶される波長チェック情報記憶部と、
前記波長チェック情報記憶部を参照することにより、前記波長チェックの結果と該波長チェックの実行時に取得された前記セル情報とを含むシステムチェックレポートを作成するシステムチェックレポート作成部と、
を有する。
【発明の効果】
【００１０】
上記本発明によれば、分析結果の信頼性を十分に確保可能な液体クロマトグラフを提供することができる。
【図面の簡単な説明】
【００１１】
【図１】本発明に係る液体クロマトグラフの一実施形態を示す概略構成図。
【図２】前記液体クロマトグラフにおける波長チェック実行時の動作を示すフローチャート。
【図３】前記液体クロマトグラフにおけるシステムチェックレポート作成時の動作を示すフローチャート。
【図４】本実施形態におけるシステムレポートの一例を示す模式図。
【発明を実施するための形態】
【００１２】
以下、本発明を実施するための形態について図面を参照しつつ説明する。図１は本実施形態に係る液体クロマトグラフの要部構成図である。この液体クロマトグラフは、動作ユニットとして、送液ユニット１０（本発明における送液部に相当）、オートサンプラ２０（本発明における試料注入部に相当）、カラムオーブン３０、及び検出器ユニット４０（本発明における分光分析部に相当）を有するとともに、これらの動作ユニットに接続され、各動作ユニットの動作を統括制御するシステムコントローラ６０と、該システムコントローラ６０に接続され、検出器ユニット４０で取得されたデータを処理したり、ユーザの指示を入力したりするための外部コンピュータ７０とを備えている。このシステムコントローラ６０と外部コンピュータ７０が本発明における統括制御部に相当する。なお、送液ユニット１０、オートサンプラ２０、カラムオーブン３０、検出器ユニット４０、システムコントローラ６０、及び外部コンピュータ７０は、各々独立した筐体１０１、１０２、１０３、１０４、１０６、１０７を備えている。
【００１３】
送液ユニット１０は、移動相（溶離液）を貯留する移動相容器１１を収容すると共に、該移動相容器１１から移動相を吸引して一定流量で送給する送液ポンプ１２を備えている。オートサンプラ２０は、予めセットされた複数の液体試料から１つの液体試料を選択して送液ポンプ１２から送給される移動相中に注入するものである。カラムオーブン３０は、移動相に注入された試料中の成分を分離するためのカラム３１を収容すると共に、該カラム３１を温調するためのヒータ３２を備えている。
【００１４】
検出器ユニット４０は、分光光度計から成るものであって、重水素ランプ４１、タングステンランプ４２、光源切替ミラー４３、レンズ４４、セル装着部４５、スリット４６、回折格子４７、及びフォトダイオードアレイ４８を備える。重水素ランプ４１は主に紫外域の波長の光を生成し、タングステンランプ４２は主に可視域の波長の光を生成する。光源切替ミラー４３は、重水素ランプ４１又はタングステンランプ４２からの光（以下、単に「光源からの光」とよぶ）を反射させて択一的にレンズ４４に送るためのものである。レンズ４４は、光源からの光をセル装着部４５に装着されたフローセル９０に集光する。フローセル９０には、カラム３１から移動相と共に導入される試料が通過すると共に、光源からの光が透過する。このとき、フローセル９０内では、光源からの光が試料に照射され、該試料の成分により定まる波長の光が吸収される。フローセル９０を通過した光は、スリット４６を通過した後、回折格子４７により波長分散される。フォトダイオードアレイ４８は、多数の検出素子が１次元アレイ状に並べられたものであり、検出素子毎に、回折格子４７で波長分散された光のうち特定の波長の光を検出する。こうして、フォトダイオードアレイ４８において、波長毎の検出強度が得られる。
【００１５】
なお、本実施形態において用いられるフローセル９０には、該フローセル９０の情報（以下「セル情報」とよぶ）が記録された不揮発性メモリを含む無線タグ９１（本発明における記憶装置に相当）が取り付けられており、検出器ユニット４０の内部には、セル装着部４５の近傍に、近距離無線通信によって無線タグ９１の記録内容を読み取るためのセル情報読取部４９が配設されている。前記セル情報には、フローセル９０の種類（標準セル、ミクロセル、セミミクロセル、分取セル、又は高耐圧セルなどの別）を表す文字列、フローセル９０の個体毎に固有の文字列（例えば、シリアル番号）、又はその両方が含まれる。なお、無線タグ９１としては、いわゆるＲＦＩＤ（Radio Frequency IDentification）等の非接触型のＩＣタグを用いることができる。
【００１６】
更に、検出器ユニット４０は、ＣＰＵ、メモリ、及び外部周辺機器などと通信するための入出力回路を備えたマイクロコントローラ（マイコン５０ｄ）を備えている。このマイコン５０ｄは、機能ブロックとして、各部の動作を制御する制御部５１（本発明における波長チェック制御部に相当）と、フォトダイオードアレイ４８又はセル情報読取部４９で取得されたデータを処理するデータ処理部５２と、データ処理部５２で処理されたデータが記憶される記憶部５３（本発明における波長チェック情報記憶部に相当）と、システムコントローラ６０との通信を行う通信部５４とを備えている。これらの機能ブロックは、前記マイコン５０ｄに搭載されたプログラムをマイコン５０ｄのプロセッサが実行することによって実現されるものである。
【００１７】
なお、検出器ユニット４０以外の動作ユニットも、それぞれマイコン５０ａ、５０ｂ、５０ｃを備えており、これらのマイコン５０ａ、５０ｂ、５０ｃによって各動作ユニットの動作制御、各動作ユニットで取得されたデータの処理及び記憶、並びに各動作ユニットとシステムコントローラ６０との通信等の機能が実現される。
【００１８】
外部コンピュータ７０の実体は、パーソナルコンピュータなどの汎用のコンピュータである。外部コンピュータ７０は、ハードディスクドライブ又はフラッシュメモリ等から成る大容量記憶装置を備えており、該大容量記憶装置には液体クロマトグラフによる分析を各動作ユニットに実行させるための専用のプログラム（以下「ＬＣ制御プログラム７１」とよぶ）がインストールされている。図１においてはＬＣ制御プログラム７１に係るように、ＬＣ制御部７２、ＬＣ構成取得部７３、バリデーション結果取得部７４、レポート作成部７５（本発明におけるシステムチェックレポート作成部に相当）、表示制御部７６、印刷制御部７７、及び指示受付部７８が示されている。これらはいずれも外部コンピュータ７０のプロセッサがＬＣ制御プログラム７１を実行することによってソフトウェア的に実現される機能ブロックである（各機能ブロックの詳細は後述する）。なお、外部コンピュータ７０の大容量記憶装置には、更に、レポート作成部７５で作成されたシステムチェックレポートが記憶されるレポート記憶部７９が設けられている（詳細は後述する）。また、外部コンピュータ７０には、液晶ディスプレイ等の表示装置から成る表示部８１と、プリンタから成る印刷部８２と、キーボードやマウス等から成る入力部８３が接続されている。
【００１９】
システムコントローラ６０は、外部コンピュータ７０と各動作ユニットとの間に介在してコマンド又はデータの送受信を行うものであり、ＣＰＵ、メモリ、及び外部周辺機器などと通信するための入出力回路を備えたマイコン（図示略）を含んでいる。該マイコンには、外部コンピュータ７０からの指示に応じて各動作ユニットの動作を制御したり、各動作ユニットから情報を取得したりするためのプログラムがインストールされている。
【００２０】
以下、本実施形態の液体クロマトグラフにおいて検出器ユニット４０の波長チェックを行う際の動作について図２のフローチャートを参照しつつ説明する。なお、以下の工程は、検出器ユニット４０のセル装着部４５にフローセル９０を装着し、該フローセル９０に所定の液体（例えば水）を収容した状態で実行される。
【００２１】
まず、ユーザが入力部８３で所定の操作を行うことにより、検出器ユニット４０における波長チェックの実行を指示すると、該指示が指示受付部７８によって受け付けられる（ステップＳ１１）。該指示はＬＣ制御部７２に送られ、これによりＬＣ制御部７２にて波長チェックの実行を指示するコマンドが生成されてシステムコントローラ６０に送出される。前記コマンドはシステムコントローラ６０を介して検出器ユニット４０の通信部５４に送られる。
【００２２】
前記コマンドを受け取った検出器ユニット４０では、まず、フローセル９０に取り付けられている無線タグ９１をセル情報読取部４９が読み取ることによって該フローセル９０のセル情報が取得され（ステップＳ１２）、その後、制御部５１の制御の下に波長チェックが実行される（ステップＳ１３）。なお、セル情報の取得（ステップＳ１２）と波長チェック（ステップＳ１３）は逆の順番で行ってもよい。あるいは、波長チェックの実行中にセル情報の取得を行ってもよい。
【００２３】
ステップＳ１３の波長チェックにおいては、まず、光源切替ミラー４３によって重水素ランプ４１からの光をフローセル９０に入射させた状態で、フローセル９０を通過して回折格子４７で分光された光をフォトダイオードアレイ４８によって検出する。そして、このときのフォトダイオードアレイ４８からの検出信号に基づいて、データ処理部５２が横軸に波長を縦軸に受光強度を取ったスペクトルを作成する。
【００２４】
その後、光源切替ミラー４３の向きを切り替えてタングステンランプ４２からの光をフローセル９０に入射させ、このときのフォトダイオードアレイ４８からの検出信号に基づいて前記同様のスペクトルを作成する。なお、重水素ランプ４１からの光とタングステンランプ４２からの光は上記とは逆の順でフローセル９０に照射するようにしてもよい。
【００２５】
続いて、以上で得られたスペクトルの各々における各輝線のピーク位置の波長（以下、これを「輝線波長の測定値」とよぶ）が特定され、該輝線波長の測定値と、記憶部５３に予め記憶されている当該輝線の波長の理論値とが比較される。更に、前記輝線の測定値と理論値との誤差が算出され、当該誤差が各輝線について予め定められた閾値以下であるか否かが判定される。このとき、前記誤差が閾値以下であった場合には当該輝線に関する波長正確さについては合格と判定され、前記誤差が閾値以上であった場合には当該輝線に関する波長正確さについては不合格と判定される。
【００２６】
以上により得られた波長チェック結果（すなわち、各輝線の測定値、各輝線の測定値と理論値との誤差、及び各輝線の合格／不合格の別）は、ステップＳ１２で読み取られたセル情報と関連づけて検出器ユニット４０の記憶部５３に記憶される（ステップＳ１４）。また、前記波長チェック結果は、システムコントローラ６０を介して外部コンピュータ７０に送られ、表示制御部７６の制御の下に表示部８１の画面上に表示される（ステップＳ１５）。
【００２７】
次に、本実施形態の液体クロマトグラフにおけるシステムチェックレポート作成時の動作について図３のフローチャートを参照しつつ説明する。なお、システムチェックレポートは、定期的に（例えば１日１回）、又は非定期的に（例えば、本実施形態の液体クロマトグラフによる試料分析を行う前、又は液体クロマトグラフを構成する部品を交換した際など）、その時点における該液体クロマトグラフの状態をユーザが確認し、記録しておくために作成される。
【００２８】
まず、ユーザが入力部８３で所定の操作を行うことにより、システムチェックレポートの作成を指示すると、該指示が指示受付部７８によって受け付けられ（ステップＳ２１）、ＬＣ構成取得部７３及びバリデーション結果取得部７４に送られる。指示受付部７８から前記指示を受け取ったＬＣ構成取得部７３は、システムコントローラ６０を介して各動作ユニットを制御することにより、現在の液体クロマトグラフの構成に関する情報（以下、「ＬＣ構成情報」とよぶ）を取得する（ステップＳ２２）。また、指示受付部７８から前記指示を受け取ったバリデーション結果取得部７４は、システムコントローラ６０を介して各動作ユニットを制御することにより、各動作ユニットにおけるバリデーションに関する情報（以下、「バリデーション関連情報」とよぶ）を取得する（ステップＳ２３）。なお、ステップＳ２２とステップＳ２３は逆の順番で行ってもよい。
【００２９】
前記ＬＣ構成情報は、液体クロマトグラフを構成する各動作ユニットの種類又は個体を識別するための情報、及び各動作ユニットに含まれる部品の種類又は個体を識別するための情報であり、具体的には、前記各動作ユニット及び前記各部品の種類毎又は個体毎に固有の番号又は符号（例えば、製品名、型番、又は製造番号（シリアル番号）など）を含んでいる。なお、このＬＣ構成情報には、検出器ユニット４０に現在装着されているフローセル９０のセル情報も含まれている。すなわち、上述のステップＳ２２では、ＬＣ制御部７２からの指示にしたがって、検出器ユニット４０のセル情報読取部４９によるセル情報の読み取りが行われ、該セル情報がシステムコントローラ６０を介して外部コンピュータ７０に送出される。
【００３０】
また、前記バリデーション関連情報とは、各動作ユニットで一番最近に行われたバリデーションの日時、条件、及び結果に関する情報である。該バリデーション関連情報は、液体クロマトグラフのユニット構成が変化する（すなわちいずれかの動作ユニットが交換される）可能性を考慮して、各動作ユニットのマイコン５０ａ、５０ｂ、５０ｃ、５０ｄに記憶されている。
【００３１】
続いて、ステップＳ２２で取得されたＬＣ構成情報及びステップＳ２３で取得されたバリデーション関連情報に基づいて、レポート作成部７５がシステムチェックレポートを作成する（ステップＳ２４）。作成されたシステムチェックレポートは、レポート記憶部７９に記憶されると共に、表示制御部７６の制御の下に表示部８１の画面上に表示される（ステップＳ２５）。
【００３２】
前記システムチェックレポートの一例を図４に示す。このシステムチェックレポートでは、冒頭に前記ＬＣ構成情報（ステップＳ２２で取得された情報）が記載されており、該ＬＣ構成情報には、検出器ユニット４０に現在装着されているフローセル９０のセル情報（図中では「セルＩＤ」と表記）も含まれている。また、ＬＣ構成情報の後には、各動作ユニットについてのバリデーション関連情報（ステップＳ２３で取得された情報）が記載されている。このうち検出器ユニット４０におけるバリデーション関連情報には、少なくとも前記波長チェックに関する情報が含まれている。前記波長チェックに関する情報としては、前記波長チェック結果（すなわち、各輝線の測定値、各輝線の測定値と理論値との誤差、及び各輝線の合格／不合格の別）に加えて、該波長チェック結果に関連づけて検出器ユニット４０の記憶部５３に記憶されていたセル情報、すなわち該波長チェックの実行時に検出器ユニット４０に装着されていたフローセル９０のセル情報（図中では「セルＩＤ」と表記）が記載される。なお、システムチェックレポートに記載される前記セル情報は、フローセル９０の種類を表す文字列、フローセル９０の個体毎に固有の文字列、又はその両方のいずれであってもよい。
【００３３】
なお、ユーザは入力部８３から所定の操作を行うことによって前記システムチェックレポートの印刷を指示することもできる。これにより、印刷制御部７７の制御の下に、印刷部８２にてシステムチェックレポートが印刷される。
【００３４】
以上の通り、本実施形態に係る液体クロマトグラフによれば、検出器ユニット４０の波長チェックに使用されたフローセル９０のセル情報が、該波長チェックの結果と共にシステムチェックレポートに記載されるため、波長チェックにいずれのフローセル９０を用いたのかを明確に特定することができる。また、システムチェックレポートには、波長チェックに使用されたフローセル９０のセル情報に加えて、検出器ユニット４０に現在装着されているフローセル９０のセル情報も記載されるため、両者を比較することにより、これから試料の分析に用いようとする（あるいは、既に試料の分析に使用した）フローセル９０が、波長チェックに使用したフローセル９０と同じ種類（又は同じ個体）であるか否かを確認することができる。これにより、本実施形態に係る液体クロマトグラフによれば、当該液体クロマトグラフを用いた分析結果の信頼性を十分に確保することが可能となる。
【００３５】
［態様］
上述した複数の例示的な実施形態は、以下の態様の具体例であることが当業者により理解される。
【００３６】
（第１態様）
本発明の第１態様に係る液体クロマトグラフは、
カラムから溶出した溶離液が流れるフローセルに光を照射して分光分析を行う分光分析部と、
前記分光分析部に設けられ、前記フローセルに取り付けられた記憶装置を読み取ることにより該フローセルの種類又は個体に固有の情報であるセル情報を取得するセル情報読取部と、
前記分光分析部に波長チェックを実行させる波長チェック制御部と、
前記波長チェックの結果が、該波長チェックの実行時に取得された前記セル情報と関連づけて記憶される波長チェック情報記憶部と、
前記波長チェック情報記憶部を参照することにより、前記波長チェックの結果と該波長チェックの実行時に取得された前記セル情報とを記載したシステムチェックレポートを作成するシステムチェックレポート作成部と、
を備える。
【００３７】
なお、前記「波長チェックの実行時」とは、該波長チェックの実行中に限らず、該波長チェックの実行直前又は実行直後であってもよい。また、前記分光分析部は、前記分光分析として、前記フローセルを通過した光を検出することによる透過率又は吸光度の測定を行うものであってもよく、前記光の照射によってフローセルから出る蛍光又は散乱光の測定を行うものであってもよい。
第１態様の液体クロマトグラフでは、分光分析部の波長チェックに使用されたフローセルのセル情報が、該波長チェックの結果と共にシステムチェックレポートに記載されるため、波長チェックにいずれのフローセルを用いたのかを明確に特定することができる。そのため、第１態様の液体クロマトグラフによれば、該液体クロマトグラフを用いた分析結果の信頼性を十分に確保することが可能となる。
【００３８】
（第２態様）
本発明の第２態様に係る液体クロマトグラフは、上記第１態様の液体クロマトグラフにおいて、
移動相を送給する送液部と、
送られて来た前記移動相中に試料液を注入する試料注入部と、
前記試料液中の成分を分離するカラムを温調するカラムオーブンと、
前記送液部、前記試料注入部、前記カラムオーブン、及び前記分光分析部を統括的に制御する統括制御部と、
を更に有し、
前記送液部、前記試料注入部、前記カラムオーブン、前記分光分析部、及び前記統括制御部が、互いに独立した筐体を備えており、
前記波長チェック情報記憶部が前記分光分析部に設けられ、
前記システムチェックレポート作成部が前記統括制御部に設けられている。
【００３９】
本発明の第２態様に係る液体クロマトグラフは、各々が独立した筐体を有する複数の動作ユニットを組み合わせて成るユニット型の液体クロマトグラフであり、前記波長チェック情報記憶部が分光分析部に（すなわち分光分析部の筐体内に）設けられているため、動作ユニットの組み替えが行われた場合でも、前記分光分析部と、該分光分析部に関する前記波長チェックの情報（波長チェック結果とセル情報）とを確実に対応付けることができる。
【００４０】
（第３態様）
本発明の第３態様に係る液体クロマトグラフは、上記第１態様又は第２態様の液体クロマトグラフにおいて、前記統括制御部が、ユーザからの前記システムチェックレポートの作成指示を受け付ける指示受付部を更に有し、
前記システムチェックレポート作成部が、更に、前記指示受付部が前記システムチェックレポートの作成指示を受け付けた時点で前記セル情報読取部によって読み取られた前記セル情報を前記システムチェックレポートに記載する。
【００４１】
第３態様の液体クロマトグラフでは、波長チェックに使用されたフローセルのセル情報に加えて、検出器ユニットに現在装着されているフローセルのセル情報もシステムチェックレポートに記載されるため、両者を比較することにより、これから試料の分析に用いようとする（あるいは、既に試料の分析に使用した）フローセルが、波長チェックに使用したフローセルと同じ種類（又は同じ個体）であるか否かを確認することができる。
【符号の説明】
【００４２】
１０…送液ユニット
１１…移動相容器
１２…送液ポンプ
２０…オートサンプラ
３０…カラムオーブン
３１…カラム
３２…ヒータ
４０…検出器ユニット
４１…重水素ランプ
４２…タングステンランプ
４３…光源切替ミラー
４４…レンズ
４５…セル装着部
４６…スリット
４７…回折格子
４８…フォトダイオードアレイ
４９…セル情報読取部
５０ａ〜５０ｄ…マイコン
５１…制御部
５２…データ処理部
５３…記憶部
５４…通信部
６０…システムコントローラ
７０…外部コンピュータ
７１…ＬＣ制御プログラム
７２…ＬＣ制御部
７３…ＬＣ構成取得部
７４…バリデーション結果取得部
７５…レポート作成部
７６…表示制御部
７７…印刷制御部
７８…指示受付部
７９…レポート記憶部
８１…表示部
８２…印刷部
８３…入力部
９０…フローセル
９１…無線タグ
【図１】
2020183763.tif 000003
【図２】
2020183763.tif 000004
【図３】
2020183763.tif 000005
【図４】
2020183763.tif 000006
【国際調査報告】
2020183763.tif 000007
2020183763.tif 000008
2020183763.tif 000009
2020183763.tif 000010